(57)【要約】【課題】  出力Ｃ／Ｎ特性を切り替え可能な受信装置およびその制御方法を提供する。【解決手段】  高周波アンプ１２、低周波アンプ１７、出力アンプ２０を、ゲイン可変アンプとする。そして、高周波信号入力端子１１を介して入力される入力信号レベルがある程度以上の大きさの場合には、高周波アンプ１２のゲインを大きく設定し、低周波アンプ１７のゲインは変化させず、出力アンプ２０のゲインは小さく設定する。【選択図】  図１
2006254109.tif 000002
【特許請求の範囲】
【請求項１】
入力された信号を増幅する第１増幅手段と、上記第１増幅手段の出力信号の周波数を変換する周波数変換手段と、上記周波数変換後の信号を増幅して出力する出力増幅手段とを備えた受信装置であって、
上記出力増幅手段のゲインが可変であることを特徴とする受信装置。
【請求項２】
上記周波数変換後の信号を増幅する第２増幅手段を備え、
上記出力増幅手段は、上記第２増幅手段によって増幅された後の信号を増幅して出力することを特徴とする請求項１に記載の受信装置。
【請求項３】
上記周波数変換後の信号に含まれる不要周波数成分を除去する不要成分除去手段を備え、
上記出力増幅手段は、上記不要成分除去手段によって不要周波数成分を除去された後の信号を増幅して出力することを特徴とする請求項１または２に記載の受信装置。
【請求項４】
上記出力増幅手段のゲインを、設定された出力信号レベルに応じて制御する制御手段を備えていることを特徴とする請求項１に記載の受信装置。
【請求項５】
上記制御手段は、
上記第１増幅手段に入力される信号の信号レベルに応じて、上記出力増幅手段のゲインを制御することを特徴とする請求項４に記載の受信装置。
【請求項６】
上記第１増幅手段は、ゲイン可変の増幅手段であり、
上記第１増幅手段に入力される信号の信号レベルに応じて、設定された出力信号レベルを満たすことができ、かつ、上記出力増幅手段のゲインができるだけ小さくなるように、上記第１増幅手段および上記出力増幅手段のゲインを制御する第２制御手段を備えていることを特徴とする請求項１に記載の受信装置。
【請求項７】
上記第１増幅手段および上記第２増幅手段はゲイン可変の増幅手段であり、
上記第１増幅手段に入力される信号の信号レベルに応じて、設定された出力信号レベルを満たすことができ、かつ、上記出力増幅手段および上記第２増幅手段のゲインができるだけ小さくなるように、上記第１増幅手段および上記第２増幅手段および上記出力増幅手段のゲインを制御する第３制御手段を備えていることを特徴とする請求項２に記載の受信装置。
【請求項８】
上記第１増幅手段および上記第２増幅手段はゲイン可変の増幅手段であり、
上記出力増幅手段のゲインを、設定された出力信号レベルと、上記第１増幅手段および第２増幅手段のゲインとに基づいて制御する第４制御手段を備えていることを特徴とする請求項２に記載の受信装置。
【請求項９】
上記出力増幅手段は、ゲインをステップ的に切り替えることを特徴とする請求項１に記載の受信装置。
【請求項１０】
上記出力増幅手段のゲインを制御する制御手段を備え、
上記制御手段は、当該制御手段に備えられるレジスタの設定値を変化させることで上記出力増幅手段のゲインをステップ的に切り替えることを特徴とする請求項９に記載の受信装置。
【請求項１１】
上記出力増幅手段は、ゲインの異なる複数の増幅手段を備えており、上記複数の増幅手段の中からいずれかの増幅手段を選択することで、ゲインを変化させることを特徴とする請求項１に記載の受信装置。
【請求項１２】
上記出力増幅手段は、上記複数の増幅手段のうち、選択していない増幅手段の電源をオフすることを特徴とする請求項１１に記載の受信装置。
【請求項１３】
上記出力増幅手段は、
帰還アンプと、上記帰還アンプの帰還抵抗値を変化させる抵抗変化手段とからなることを特徴とする請求項１に記載の受信装置。
【請求項１４】
上記抵抗可変手段は、
上記帰還アンプと並列に配置された抵抗値の異なる複数の抵抗手段と、
上記各抵抗手段に直列に配置され、上記帰還アンプの帰還抵抗として用いる抵抗手段を切り替える切替手段とからなり、
上記出力増幅手段は、上記切替手段によって上記帰還アンプの帰還抵抗として用いる抵抗手段を選択することにより、当該出力増幅手段のゲインを変化させることを特徴とする請求項１３に記載の受信装置。
【請求項１５】
上記切替手段は、電界効果トランジスタで構成されるアナログスイッチであることを特徴とする請求項１４に記載の受信装置。
【請求項１６】
入力された信号をＩ信号とＱ信号とに分離する分離手段を備え、
上記出力増幅手段は、上記分離手段によって分離されたＩ信号を増幅するＩ信号増幅手段と、Ｑ信号を増幅するＱ信号増幅手段とを備えていることを特徴とする請求項１に記載の受信装置。
【請求項１７】
半導体集積回路上に形成されていることを特徴とする請求項１〜１６のいずれか１項に記載の受信装置。
【請求項１８】
入力された信号を増幅する第１増幅手段と、上記第１増幅手段の出力信号の周波数を変換する周波数変換手段と、上記周波数変換後の信号を増幅して出力する出力増幅手段とを備えた受信装置の制御方法であって、
上記第１増幅手段に入力される信号の信号レベルに応じて、設定された出力信号レベルを満たすことができ、かつ、上記出力増幅手段のゲインができるだけ小さくなるように、上記第１増幅手段および上記出力増幅手段のゲインを制御することを特徴とする受信装置の制御方法。
【発明の詳細な説明】
【技術分野】
【０００１】
本発明は、デジタル衛星放送受信装置などの受信装置およびその制御方法に関するものである。より詳細には、用途に応じて出力Ｃ／Ｎ特性を変化させることができる受信装置およびその制御方法に関するものである。
【背景技術】
【０００２】
デジタル衛星放送では、受信装置の設置条件や受信チャンネルによって入力信号レベルが広範囲に変動するため、入力信号レベルに応じて受信装置のゲインを適切に設定し、出力信号レベルが一定となるようなゲイン制御ループが使用される。
【０００３】
図１０は、一般的なダイレクトコンバージョン方式の衛星放送用受信装置の構成を示すブロック図である。このような従来の一般的な構成の受信装置におけるゲイン制御については、例えば特許文献１に記載されている。
【０００４】
図１０に示す受信装置は、高周波信号入力端子１０１、高周波アンプ（高周波ゲイン可変アンプ）１０２、ゲイン制御端子１０３、ミキサ回路１０４、発振回路１０５、９０度移相回路１０６、低周波アンプ（低周波ゲイン可変アンプ）１０７、ゲイン制御端子１０８、フィルタ回路１０９、出力アンプ１１０、出力端子１１１を備えている。
【０００５】
高周波信号入力端子１０１には、受信装置の外部から受信した高周波信号が入力される。高周波アンプ１０２は、高周波信号入力端子１０１を介して入力された高周波信号を増幅するゲイン可変の高周波アンプである。ゲイン制御端子１０３には、高周波アンプ１０２のゲインを制御する制御信号が図示しない制御回路から入力される。
【０００６】
ミキサ回路１０４は、高周波アンプ１０２の出力信号を周波数変換するものである。発振回路１０５は発振信号を生成して９０度移相回路１０６に供給する。９０度移相回路１０６は、発振回路１０５から供給される発振信号から９０度の位相差をもつ２つのローカル信号を生成し、ミキサ回路１０４へ供給する。
【０００７】
低周波アンプ１０７は、ミキサ回路１０４から出力された信号を増幅するゲイン可変の低周波アンプである。ゲイン制御端子１０８には、低周波アンプ１０７のゲインを制御する制御信号が図示しない制御回路から入力される。
【０００８】
フィルタ回路１０９は、低周波アンプ１０７の出力信号に含まれる不要周波数成分を除去するフィルタ回路である。出力アンプ１１０は、フィルタ回路１０９の出力信号を増幅して出力端子１１１から出力する。
【０００９】
図１０に示した受信装置においては、高周波アンプ１０２および低周波アンプ１０７のゲインは、出力端子１１１からの出力信号レベルが、高周波信号入力端子１０１を介して入力される高周波信号の信号レベルによらず一定となるように制御される。図１１は、図１０に示した受信装置の各部における信号レベルを示すグラフ（レベル配分図）である。
【００１０】
図１１に示すように、高周波信号入力端子１０１に入力される信号レベルが変動した場合にも、高周波アンプ１０２および低周波アンプ１０７のゲインを適切に制御することで、出力端子１１１から出力される出力信号レベルを一定にすることができる。
【００１１】
なお、図１１に示すように、高周波アンプ１０２および低周波アンプ１０７の制御は、入力信号レベルが所定値以下の場合には２つのゲイン可変アンプ（高周波アンプ１０２および低周波アンプ１０７）のうち低周波アンプ１０７のゲインを変化させ、入力信号レベルが所定値よりも高い場合には高周波アンプ１０２のゲインを変化させるように行われる。これにより、受信装置全体の雑音指数、歪み特性を比較的良好にすることができる。
【００１２】
一般に、受信装置では、どのようなゲイン制御を行った場合でも、出力信号にはノイズ成分が含まれる。そして、このノイズ成分が受信装置の受信性能を決定する重要なパラメータとなる。
【００１３】
例えば、図１０に示した受信装置における出力ノイズについて考える。高周波信号入力端子１０１を介して入力される高周波信号の信号レベルが小さいときには、高周波アンプ１０２および低周波アンプ１０７のゲインは高く設定される。このため、受信装置の前半部分（例えば高周波アンプ１０２およびミキサ回路１０４）で発生したノイズが増幅されてしまうので、受信装置の前半部分のノイズ特性が受信装置の出力ノイズレベルに対して支配的となる。
【００１４】
逆に、高周波信号入力端子１０１を介して入力される高周波信号の信号レベルが大きいときには、高周波アンプ１０２および低周波アンプ１０７のゲインは低く設定される。このため、受信装置の前半部分の雑音特性よりもむしろ、図１０に示した各回路ブロックの出力におけるＣ／Ｎ（信号レベルとノイズレベルの比）の最も悪い部分の特性が、受信装置の出力ノイズレベルに対して支配的となる。
【００１５】
図１２は、図１１に示した受信装置の出力アンプ１１０に入力される入力信号、および、この入力信号に対する出力アンプ１１０からの出力信号を、横軸を周波数、縦軸を信号レベルとしてプロットしたグラフである。なお、図１２における左側のグラフは出力アンプ１１０に対する入力信号を示しており、右側のグラフは出力アンプ１１０からの出力信号を示している。
【００１６】
図１２に示すように、出力アンプ１１０の入力Ｃ／Ｎは、入力信号レベルＣｉと入力ノイズフロアレベルＮｉとの比（Ｃｉ／Ｎｉ）で表される。
【００１７】
また、出力アンプ１１０のゲインをＧ１とすると、出力アンプ１１０（出力端子１１１）の出力信号の波形は図１２８の右側に示すグラフのようになる。すなわち、出力信号レベルＣｏは入力信号レベルＣｉにゲインＧ１を掛けた信号レベルとなり、出力ノイズレベルＮｏは入力ノイズフロアレベルＮｉにゲインＧ１を掛けたノイズレベルとなる。また、受信装置の出力Ｃ／Ｎは、出力信号レベルＣｏと出力ノイズレベルＮｏとの比（Ｃｏ／Ｎｏ）で表される。実際には出力アンプ１１０によってノイズが付加されるため、出力アンプ１１０の入出力間におけるノイズの増加量はゲインＧ１に対応する増加量よりも若干大きくなるが、一般的に、この誤差はゲインＧ１に比べて無視できる。
【００１８】
なお、上述したように、図１０に示した受信装置は２つの可変ゲインアンプによって出力信号レベルが一定に保たれることから、図１２に示した出力信号レベルＣｏは常に一定値になるようにゲインが制御される。
【特許文献１】特開２００２−７６８０５号公報（公開日２００２年３月１５日）
【発明の開示】
【発明が解決しようとする課題】
【００１９】
しかしながら、上記のような従来の構成からなる受信装置では、要求される出力Ｃ／Ｎが異なる場合には、出力Ｃ／Ｎごとに受信装置を別個に設計する必要がある。したがって、例えば図１０に示したような受信装置を半導体集積回路上に形成する場合、要求される出力Ｃ／Ｎに応じて、それぞれ別個の半導体集積回路を用意しなければならない。
【００２０】
例えば、ＱＰＳＫ変調信号を受信するデジタル衛星放送受信装置と、８ＰＳＫ変調信号を受信するデジタル衛星放送受信装置とは、図１０に示す部分に関しては同様の回路構成で実現可能である。しかしながら、８ＰＳＫ変調信号を受信するデジタル衛星放送受信装置の方が、高い出力Ｃ／Ｎが要求される。つまり、同様の回路構成の受信装置であっても、受信する信号の種類あるいは受信装置の用途によって、要求される出力Ｃ／Ｎが異なる場合がある。
【００２１】
このような場合、受信装置の出力Ｃ／Ｎは、受信装置を構成する各回路ブロックの性能によって決定されてしまう。このため、要求される出力Ｃ／Ｎが異なる受信装置（例えば、ＱＰＳＫ変調信号用の受信装置と８ＰＳＫ変調信号用の受信装置）は、それぞれ別個に設計する必要がある。すなわち、半導体集積回路上に図１０に示すような受信装置を構成する場合、要求される出力Ｃ／Ｎに応じて、それぞれ別個の半導体集積回路を用意しなければならない。
【００２２】
本発明は、上記の問題点に鑑みてなされたものであり、その目的は、出力Ｃ／Ｎ特性を切り替え可能な受信装置およびその制御方法を提供することにある。
【課題を解決するための手段】
【００２３】
本発明の受信装置は、上記の課題を解決するために、入力された信号を増幅する第１増幅手段と、上記第１増幅手段の出力信号の周波数を変換する周波数変換手段と、上記周波数変換後の信号を増幅して出力する出力増幅手段とを備えた受信装置であって、上記出力増幅手段のゲインが可変であることを特徴としている。
【００２４】
上記の構成によれば、上記出力増幅手段のゲインが可変となっている。これにより、受信装置に要求される出力Ｃ／Ｎ（出力信号レベルと出力ノイズレベルとの比）に応じて、受信装置の出力Ｃ／Ｎ特性を切り替えて使用することができる。すなわち、受信装置の用途に応じて、出力Ｃ／Ｎ特性を切り替えることができる。したがって、要求される出力Ｃ／Ｎが異なる場合（あるいは変化する場合）でも、それぞれの用途に応じて個別に設計された受信装置を用いる必要がなく、同一の受信装置を用いて適切に受信することができる。
【００２５】
また、上記周波数変換後の信号を増幅する第２増幅手段を備え、上記出力増幅手段は、上記第２増幅手段によって増幅された後の信号を増幅して出力する構成としてもよい。
【００２６】
上記の構成によれば、上記第１増幅手段および出力増幅手段に加えて、第２増幅手段を備えている。このため、受信装置全体としてのゲインを大きくすることができる。また、要求された出力信号レベルを達成するために、各増幅手段に要求されるゲインを小さくすることができる。
【００２７】
また、上記周波数変換後の信号に含まれる不要周波数成分を除去する不要成分除去手段を備え、上記出力増幅手段は、上記不要成分除去手段によって不要周波数成分を除去された後の信号を増幅して出力する構成としてもよい。
【００２８】
上記の構成によれば、上記不要成分除去手段によって上記周波数変換後の信号に含まれる不要周波数成分を除去することができ、受信装置からの出力信号の品質を向上させることができる。
【００２９】
また、上記出力増幅手段のゲインを、設定された出力信号レベルに応じて制御する制御手段を備えている構成としてもよい。ここで、設定された出力信号レベルとは、上記受信装置の用途に応じて一定値に設定されるものであってもよく、あるいは、ユーザが入力手段を介して任意に設定するものであってもよい。
【００３０】
上記の構成によれば、制御手段が、設定された出力信号レベルに応じて、出力増幅手段のゲインを制御する。これにより、受信装置の用途等に応じて要求される出力信号レベルが異なる場合（あるいは変化する場合）でも、同一の受信装置を用いて、適切に受信することができる。
【００３１】
また、上記制御手段は、上記第１増幅手段に入力される信号の信号レベルに応じて、上記出力増幅手段のゲインを制御する構成としてもよい。
【００３２】
上記の構成によれば、上記制御手段は、設定された出力信号レベルと、上記第１増幅手段に入力される信号の信号レベルとに応じて、上記出力増幅手段のゲインを制御する。これにより、例えば、設定された出力信号レベルを達成でき、かつ、出力ノイズレベルが低くなるように、出力増幅手段のゲインを制御することができる。したがって、受信装置に要求される出力信号レベルが異なる場合（あるいは変化する場合）でも、上記第１増幅手段に入力される信号の信号レベルに応じて、要求された出力信号レベルを達成でき、かつ、出力Ｃ／Ｎ特性を向上させるように、適切に受信することができる。
【００３３】
また、上記第１増幅手段は、ゲイン可変の増幅手段であり、上記第１増幅手段に入力される信号の信号レベルに応じて、設定された出力信号レベルを満たすことができ、かつ、上記出力増幅手段のゲインができるだけ小さくなるように、上記第１増幅手段および上記出力増幅手段のゲインを制御する第２制御手段を備えた構成としてもよい。
【００３４】
上記の構成によれば、上記第２制御手段が、上記第１増幅手段に入力される信号の信号レベルに応じて、設定された出力信号レベルを満たすことができ、かつ、上記出力増幅手段のゲインができるだけ小さくなるように、上記第１増幅手段および上記出力増幅手段のゲインを制御する。一般に、上記のような構成からなる受信装置における出力ノイズレベルは、第１増幅手段よりも出力増幅手段に大きく依存する。このため、設定された出力信号レベルを満たすことができる範囲内で、出力増幅手段のゲインをできるだけ小さくすることにより、出力Ｃ／Ｎ特性を向上させることができる。
【００３５】
また、上記第１増幅手段および上記第２増幅手段はゲイン可変の増幅手段であり、上記第１増幅手段に入力される信号の信号レベルに応じて、設定された出力信号レベルを満たすことができ、かつ、上記出力増幅手段および上記第２増幅手段のゲインができるだけ小さくなるように、上記第１増幅手段および上記第２増幅手段および上記出力増幅手段のゲインを制御する第３制御手段を備えた構成としてもよい。
【００３６】
上記の構成によれば、上記第３制御手段が、上記第１増幅手段に入力される信号の信号レベルに応じて、設定された出力信号レベルを満たすことができ、かつ、上記出力増幅手段および上記第２増幅手段のゲインができるだけ小さくなるように、上記第１増幅手段および上記第２増幅手段および上記出力増幅手段のゲインを制御する。上記のような構成からなる受信装置における出力ノイズレベルは、第１増幅手段よりも、上記第２増幅手段および出力増幅手段に大きく依存する。このため、設定された出力信号レベルを満たすことができる範囲内で、上記第２増幅手段および出力増幅手段のゲインをできるだけ小さくすることにより、出力Ｃ／Ｎ特性を向上させることができる。
【００３７】
また、上記第１増幅手段および上記第２増幅手段はゲイン可変の増幅手段であり、上記出力増幅手段のゲインを、設定された出力信号レベルと、上記第１増幅手段および第２増幅手段のゲインとに基づいて制御する第４制御手段を備えている構成としてもよい。
【００３８】
上記の構成によれば、上記第４制御手段が、上記出力増幅手段のゲインを、設定された出力信号レベルと、上記第１増幅手段および第２増幅手段のゲインとに基づいて制御する。これにより、受信装置に要求される出力信号レベルが異なる場合（あるいは変化する場合）でも、同一の受信装置を用いて、適切に受信処理を行うことができる。
【００３９】
また、上記出力増幅手段は、ゲインをステップ的に切り替える構成であってもよい。この場合、上記出力増幅手段のゲインを切り替えるための回路構成を簡略化することができ、上記出力増幅手段のゲインを容易に切り替えることができる。
【００４０】
例えば、上記出力増幅手段のゲインを制御する制御手段を備え、上記制御手段は、当該制御手段に備えられるレジスタの設定値を変化させることで上記出力増幅手段のゲインをステップ的に切り替える構成としてもよい。この場合、上記制御手段がレジスタの設定値を変化させることで、出力増幅回路のゲインを容易に切り替えることができる。
【００４１】
また、上記出力増幅手段は、ゲインの異なる複数の増幅手段を備えており、上記複数の増幅手段の中からいずれかの増幅手段を選択することで、ゲインを変化させる構成であってもよい。上記の構成によれば、上記出力増幅手段を容易に実現できる。
【００４２】
また、この場合、上記出力増幅手段は、上記複数の増幅手段のうち、選択していない増幅手段の電源をオフする構成としてもよい。上記の構成によれば、出力増幅手段および上記受信装置１の消費電流を低減することができる。
【００４３】
また、上記出力増幅手段は、帰還アンプと、上記帰還アンプの帰還抵抗値を変化させる抵抗変化手段とからなる構成であってもよい。また、この場合、上記抵抗可変手段は、上記帰還アンプと並列に配置された抵抗値の異なる複数の抵抗手段と、上記各抵抗手段に直列に配置され、上記帰還アンプの帰還抵抗として用いる抵抗手段を切り替える切替手段とからなり、上記出力増幅手段は、上記切替手段によって上記帰還アンプの帰還抵抗として用いる抵抗手段を選択することにより、当該出力増幅手段のゲインを変化させる構成であってもよい。さらに、この場合、上記切替手段は、電界効果トランジスタで構成されるアナログスイッチであってもよい。上記いずれかの構成によれば、上記出力増幅手段を容易に実現できる。
【００４４】
また、入力された信号をＩ信号とＱ信号とに分離する分離手段を備え、上記出力増幅手段は、上記分離手段によって分離されたＩ信号を増幅するＩ信号増幅手段と、Ｑ信号を増幅するＱ信号増幅手段とを備えている構成としてもよい。ここで、Ｉ信号とは、受信装置に入力された信号を上記分離手段によってＩ軸（Ｉｎ−ｐｈａｓｅ軸、実軸）データとＱ軸（Ｑｕａｄｒａｔｕｒｅ軸、虚軸）データとに分離した場合の、Ｉ軸データの信号である。また、Ｑ信号とは、この場合のＱ軸データの信号である。
【００４５】
上記の構成によれば、例えばデジタル衛星放送受信用の受信装置のように、入力された信号をＩ軸データとＱ軸データに分離する受信装置において、要求される出力Ｃ／Ｎが異なる場合、あるいは要求される出力Ｃ／Ｎが変化する場合に、同一の受信装置によってそれぞれの用途に応じた受信を行うことができる。
【００４６】
また、上記した各受信装置は、半導体集積回路上に形成されていてもよい。上記の構成によれば、要求される出力Ｃ／Ｎが異なる場合、あるいは要求される出力Ｃ／Ｎが変化する場合であっても、それぞれの用途に応じて個別に設計された半導体集積回路を用いる必要がなく、同一の半導体集積回路を用いて適切に受信することができる。
【００４７】
本発明の受信装置の制御方法は、上記の課題を解決するために、入力された信号を増幅する第１増幅手段と、上記第１増幅手段の出力信号の周波数を変換する周波数変換手段と、上記周波数変換後の信号を増幅して出力する出力増幅手段とを備えた受信装置の制御方法であって、上記第１増幅手段に入力される信号の信号レベルに応じて、設定された出力信号レベルを満たすことができ、かつ、上記出力増幅手段のゲインができるだけ小さくなるように、上記第１増幅手段および上記出力増幅手段のゲインを制御することを特徴としている。
【００４８】
上記の制御方法によれば、受信装置に要求される出力信号レベルに応じて、出力Ｃ／Ｎ特性を切り替えることができる。すなわち、受信装置の用途に応じて、出力Ｃ／Ｎ特性を切り替えることができる。したがって、要求される出力Ｃ／Ｎが異なる場合（あるいは変化する場合）でも、それぞれの用途に応じて個別に設計された受信装置を用いる必要がなく、同一の受信装置を用いて適切に受信することができる。
【００４９】
また、一般に、上記のような構成からなる受信装置における出力ノイズレベルは、第１増幅手段よりも出力増幅手段に大きく依存する。このため、設定された出力信号レベルを満たすことができる範囲内で、出力増幅手段のゲインをできるだけ小さくすることにより、出力Ｃ／Ｎ特性を向上させることができる。
【発明の効果】
【００５０】
以上のように、本発明の受信装置は、上記出力増幅手段のゲインが可変になっている。それゆえ、要求される出力Ｃ／Ｎが異なる場合、あるいは要求される出力Ｃ／Ｎが変化する場合でも、それぞれの用途に応じて個別に設計された受信装置を用いる必要がなく、同一の受信装置を用いて適切に受信することができる。
【００５１】
本発明の受信装置の制御方法は、上記第１増幅手段に入力される信号の信号レベルに応じて、設定された出力信号レベルを満たすことができ、かつ、上記出力増幅手段のゲインができるだけ小さくなるように、上記第１増幅手段および上記出力増幅手段のゲインを制御する。
【００５２】
それゆえ、要求される出力Ｃ／Ｎが異なる場合（あるいは変化する場合）でも、それぞれの用途に応じて個別に設計された受信装置を用いる必要がなく、同一の受信装置を用いて適切に受信することができる。また、設定された出力信号レベルを満たすことができる範囲内で、出力増幅手段のゲインをできるだけ小さくすることにより、出力Ｃ／Ｎ特性を向上させることができる。
【発明を実施するための最良の形態】
【００５３】
本発明の一実施形態について、図面を参照して説明する。
【００５４】
図１は、本実施形態にかかる受信装置であるデジタル衛星放送受信装置１の構成を示す回路ブロック図である。この図に示すように、受信装置（デジタル衛星放送受信装置）１は、高周波信号入力端子１１、高周波アンプ１２、ゲイン制御端子（高周波アンプゲイン制御端子）１３、ミキサ回路１４、発振回路１５、９０度移相回路１６、低周波アンプ１７、ゲイン制御端子（低周波アンプゲイン制御端子）１８、フィルタ回路１９、出力アンプ２０、出力端子２１を備えている。なお、受信装置１における上記各回路は、半導体集積回路上に形成されている。
【００５５】
また、受信装置１では、Ｉ軸データ（Ｉ信号）用およびＱ軸データ（Ｑ信号）用として各２つずつのミキサ回路、低周波アンプ、フィルタ回路、出力アンプ、出力端子を備えている。これらの各２つずつの回路は、Ｉ軸データおよびＱ軸データについて略同様の処理を行う。このため、以降の説明では、説明の便宜上、上記各２つずつの回路の双方について共通の符号を用い、両データの処理について共通に説明する。すなわち、図１に示すように、各２つずつのミキサ回路、低周波アンプ、フィルタ回路、出力アンプ、出力端子をそれぞれミキサ回路１４、低周波アンプ１７、フィルタ回路１９、出力アンプ２０、出力端子２１として表わし、両データの処理について共通に説明する。
【００５６】
高周波信号入力端子１１には、受信装置１の外部から受信した高周波信号が入力される。高周波アンプ１２は、高周波信号入力端子１１を介して入力された高周波信号を増幅するゲイン可変の高周波アンプである。高周波アンプ１２のゲインは、ゲイン制御端子１３を介して図示しない高周波アンプ制御回路から入力される制御信号によって制御される。
【００５７】
発振回路１５は発振信号を生成して９０度移相回路１６に供給するものである。また、９０度移相回路１６は、発振回路１５から供給される発振信号から９０度の位相差をもつ２つのローカル信号を生成し、２つのミキサ回路１４へそれぞれ供給するものである。
【００５８】
ミキサ回路１４は、高周波アンプ１２の出力信号に対して、Ｉ／Ｑ分離(ヒルベルト変換)と周波数変換とを施すものである。すなわち、受信装置１では、９０度位相差を持ったローカル信号を９０度移相回路１６から２つのミキサ回路１４に供給することにより、Ｉ／Ｑ分離（ヒルベルト変換）と周波数変換とを同時に行うようになっている。
【００５９】
低周波アンプ１７は、ミキサ回路１４から出力された信号を増幅するゲイン可変の低周波アンプである。ゲイン制御端子１８には、低周波アンプ１７のゲインを制御する制御信号が図示しない低周波アンプ制御回路から入力される。
【００６０】
フィルタ回路１９は、低周波アンプ１７の出力信号に含まれる不要周波数成分を除去するフィルタ回路である。出力アンプ２０は、フィルタ回路１９の出力信号を増幅して出力端子２１から出力する。なお、出力端子２１には、表示装置、音響出力装置、記憶装置等の外部機器が接続されるようになっており、受信装置１では、出力アンプ２０によって増幅された信号が出力端子２１を介してこれらの外部機器に出力されるようになっている。また、出力アンプ２０は、ゲインをステップ的に切り替えることができるゲイン可変アンプである。
【００６１】
次に、受信装置１の動作について説明する。図２は、受信装置１の各部における信号レベルを示すグラフ（レベル配分図）である。なお、図２は、高周波信号入力端子１１に入力される信号レベルがある程度（所定値）以上の場合の一例を示している。また、図２において、破線が受信装置１における各部の信号レベルを示しており、実線は図６に示した従来の受信装置の高周波信号入力端子１０１に受信装置１と同じ入力信号を入力した場合の各部の信号レベルを示している。また、図２は、図１２に示した従来の受信装置の例と、出力アンプの出力信号レベルが同じ場合の例を示している。
【００６２】
受信装置１では、高周波信号入力端子１１に入力される入力信号の信号レベルがある程度（所定値）以上のとき、出力アンプ２０のゲインＧ２を基準値（図２に示す例では、従来の受信装置における出力アンプ１１０のゲインＧ１と同値）よりも小さくし、高周波アンプ１２のゲインが基準値（図２に示す例では、従来の受信装置における高周波アンプ１０２のゲイン）よりも大きく設定する。なお、図２に示す例では、低周波アンプ１７のゲインおよび従来の低周波アンプ１０７のゲインはほぼ同じに設定されている。つまり、図２に示す例では、出力アンプ２０のゲインＧ２を従来の受信装置における出力アンプ１１０のゲインＧ１よりも小さくし、その分だけ高周波アンプ１２のゲインを従来の受信装置における高周波アンプ１０２のゲインよりも大きく設定することにより、出力アンプ２０からの出力信号の信号レベルＣｏが、従来の受信装置の出力信号レベルＣｏと同様になるようになっている。
【００６３】
図３は、この場合の、受信装置１の出力アンプ２０に入力される入力信号、および、この入力信号に対する出力アンプ２０からの出力信号を、横軸を周波数、縦軸を信号レベルとしてプロットしたグラフである。なお、図３における左側のグラフは出力アンプ２０に対する入力信号を示しており、右側のグラフは出力アンプ２０からの出力信号を示している。
【００６４】
この図に示すように、出力アンプ２０の入力Ｃ／Ｎは、入力信号レベルＣｉ２と入力ノイズフロアレベルＮｉとの比（Ｃｉ２／Ｎｉ）で表される。なお、図２に示したように、出力アンプ２０の入力信号レベルＣｉ２は、従来の受信装置における出力アンプ１１０の入力信号レベルＣｉよりも高くなるように設定されている。これは、上記したように、高周波アンプ１２のゲインが従来の受信装置における高周波アンプ１０２のゲインよりも大きく設定されているためである。ただし、出力アンプ２０のゲインＧ２は、従来の受信装置における出力アンプ１１０のゲインＧ１よりも小さく設定されているので、受信装置１の出力信号の信号レベルＣｏと従来の受信装置における出力信号の信号レベルＣｏとは等しくなっている。
【００６５】
また、この入力ノイズフロアレベルＮｉは、図１２に示した従来の受信装置において出力アンプ１１０に入力される入力ノイズフロアレベルＮｉとほぼ等しくなっている。この点について、さらに詳しく説明する。
【００６６】
一般に、受信装置への入力信号レベルがある程度以上大きい場合には、受信装置の出力ノイズレベル（出力ノイズ成分）は受信装置の前半部分（高周波アンプ１２およびミキサ回路１４（ＲＦ部））ではなく、後半部分（低周波アンプ１７，フィルタ回路１９、出力アンプ２０）で決定される。すなわち、受信装置１に含まれる各回路ブロックの出力ノイズ（出力Ｃ／Ｎ）に対する影響は、それぞれの回路ブロックの性能のみではなく、受信装置１全体のゲイン配分に依存する。そして、受信装置１への入力信号レベルがある程度以上大きい場合には、受信装置１の出力ノイズレベルは、概ね、低周波アンプ１７，フィルタ回路１９、出力アンプ２０で決定される。
【００６７】
図３に示す例では、出力アンプ２０のゲインを切り替えることに伴ってゲインを変化させたのは高周波アンプ１２のみであり、低周波アンプ１７およびフィルタ回路１９の回路の状態は全く変化していない。このため、出力アンプ２０のゲインを切り替えた場合でも、出力アンプ２０の入力信号に含まれるノイズ成分はほぼ変化しないとみなすことができる。
【００６８】
したがって、図３に示すように、出力アンプ２０のゲインを小さくした場合でも、出力アンプ２０への入力信号のノイズフロアレベルＮｉは、出力アンプ２０のゲインを小さくしない場合、すなわち従来の受信装置における出力アンプ１１０の入力ノイズフロアレベルＮｉと同一の値であるとみなすことができる。
【００６９】
図３に示すように、出力アンプ２０からの出力ノイズレベルＮｏ２は、入力ノイズフロアレベルＮｉにゲインＧ２を掛けたノイズレベルとなる。また、受信装置１の出力Ｃ／Ｎは、出力信号レベルＣｏと出力ノイズレベルＮｏ２との比（Ｃｏ／Ｎｏ２）で表される。なお、実際には出力アンプ２０によってノイズが付加されるため、出力アンプ２０の入出力間におけるノイズの増加量はゲインＧ２に対応する増加量よりも若干大きくなるが、一般的に、この誤差はゲインＧ２によるノイズの増加量に比べて無視できる。
【００７０】
上記したように、出力アンプ２０のゲインＧ２は、従来の受信装置における出力アンプ１１０のゲインＧ１よりも小さい（Ｇ２＜Ｇ１）ので、受信装置１の出力ノイズレベルＮｏ２は、図３に示すように、従来の受信装置における出力ノイズレベルＮｏよりも小さくなる（Ｎｏ２＜Ｎｏ）。また、図３と図１２とを比較すると明らかなように、出力信号レベルＣｏが同じである場合、出力アンプ２０のゲインを小さく切り替え、高周波アンプ１２のゲインを大きくすることにより、受信装置１の出力Ｃ／Ｎ（Ｃｏ／Ｎｏ２）を従来の受信装置よりも小さくすること（変化させること）ができる。
【００７１】
なお、出力アンプ２０のゲインをはじめから小さな値に設計しておくことも可能であるが、このときには受信装置１全体のゲインはその分だけ低下することになり、受信可能な最小の入力信号レベル（所定の出力信号レベルで受信できる最小の入力信号レベル）が大きくなってしまう。
【００７２】
このため、出力アンプ２０のゲインを切り替え可能に設計することが好ましい。これにより、例えば、所定の出力信号レベル（設定された出力信号レベル）を達成することができる最小入力信号レベルを小さくする必要がある用途（より小さい信号レベルの入力信号を受信する必要がある用途）には出力アンプ２０のゲインを高く設定し、所定の出力信号レベル（設定された出力信号レベル）を達成するとともに出力Ｃ／Ｎを良好にしなければならない用途には出力アンプ２０のゲインを低く設定して出力Ｃ／Ｎを改善するというように、用途に応じて出力アンプ２０のゲインを変更することが可能になる。
【００７３】
なお、上記所定の出力信号レベルは、受信装置１の用途に応じて一定値に設定されるものであってもよく、あるいは、図示しない入力手段を介してユーザが任意に設定するものであってもよい。
【００７４】
以上のように、本実施形態にかかる受信装置１では、出力アンプ２０として、ゲインを切り替えることが可能なゲイン可変アンプを用いている。これにより、受信装置１に要求される出力Ｃ／Ｎ（受信装置１のトータルゲインと出力Ｃ／Ｎの優先度）に応じて、受信装置１の特性を切り替えて使用することができる。したがって、要求される出力Ｃ／Ｎが異なる場合（あるいは変化する場合）でも、それぞれの用途に応じて個別に設計された受信装置を用いる必要がなく、１つの受信装置の特性を切り替えてそれぞれの用途に使用できる。
【００７５】
また、上記したように本実施形態にかかる受信装置１は、半導体集積回路上に形成されている。このため、半導体集積回路上に形成された受信装置１を複数の用途に用いることができ、用途ごとに異なる半導体集積回路を用いる必要がない。したがって、例えばＱＰＳＫ変調信号用の受信装置と８ＰＳＫ変調信号用の受信装置のように、要求される出力Ｃ／Ｎが異なる受信装置に対しても、１種類の半導体集積回路を、その半導体集積回路上に形成された受信装置１の特性を切り替えて用いることができる。ただし、本発明の受信装置１は半導体集積回路上に形成される構成に限定されるものではない。
【００７６】
また、本実施形態では、ゲインをステップ的に切り替えることができる出力アンプ２０を使用しているが、これに限るものではない。ただし、ゲインをステップ的に切り替えることができる出力アンプ２０を使用することにより、出力アンプ２０のゲインの制御が容易になる。例えば、ゲインを切り替えるためのレジスタを備え、このレジスタの設定値に基づくデジタル制御によって出力アンプ２０のゲインを切り替えることができる。すなわち、ステップ的にゲインを切り替えられる回路構成を用いて、デジタル回路による設定に基づいて出力アンプ２０のゲインを容易に切り替えることができる。図４は、この場合における本発明の受信装置の一例である受信装置２の構成を示す回路ブロック図である。
【００７７】
受信装置２は、図４に示すように、半導体集積回路２４上に形成されている。なお、説明の便宜上、上記した受信装置１と同様の機能を有する部材については、受信装置１と同じ符号を用い、その説明を省略する。
【００７８】
受信装置２は、受信装置１の構成に加えて、制御信号入力端子２３、および、制御回路２２を備えている。
【００７９】
制御信号入力端子２３には、半導体集積回路２４の外部から、出力アンプ２０のゲインを制御するための制御信号が入力される。
【００８０】
制御回路２２は、制御信号入力端子２３に入力された制御信号に基づいて出力アンプ２０のゲインを制御するものである。なお、出力アンプ２０は、制御回路２２の制御によって、ゲインをステップ的に切り替えられるようになっている。
【００８１】
このように、出力アンプ２０のゲインを制御するための制御信号が入力される制御信号入力端子２３と、入力された制御信号に基づいて出力アンプ２０のゲインをステップ的に切り替える制御回路２２とを備えることにより、出力Ｃ／Ｎを外部からの制御信号に基づいて容易に切り替えられる受信装置を実現できる。なお、図４に示す制御回路２２は、デジタル回路として設計されたレジスタによって実現できる。
【００８２】
また、本実施形態にかかる受信装置１あるいは受信装置２に備えられる出力アンプ２０は、ゲインの異なる複数の出力アンプを備え、この複数の出力アンプの中から適切なゲインを有する出力アンプを選択して用いる構成であってもよい。
【００８３】
図５は、このような構成からなる出力アンプ２０を、上記した受信装置２に適用した場合の回路構成を示す回路ブロック図である。
【００８４】
この図に示す出力アンプ２０は、アンプ２０ａ１，・・・，２０ａｎのｎ個のアンプを備えている。そして、制御回路２２が、制御信号入力端子２３を介して外部から入力される制御信号に応じて、上記ｎ個のアンプの中から適切なゲインを有するアンプを選択して、フィルタ回路１９と出力端子２１との間に接続することにより、出力アンプ２０のゲインを切り替えることができるようになっている。
【００８５】
なお、出力アンプ２０に含まれるｎ個のアンプのうち、選択されていないｎ−１個のアンプにはフィルタ回路１９からの信号が通過しないので、これらの選択されていないアンプの電源をオフするようにしてもよい。これにより、受信装置１の消費電流を低減することができる。
【００８６】
また、本実施形態にかかる受信装置１あるいは受信装置２に備えられる出力アンプ２０は、例えば、オペアンプと複数の抵抗とを組み合わせたものであってもよい。図５は、この場合の出力アンプ２０の構成を示す回路ブロック図である。
【００８７】
この図に示す出力アンプ２０は、オペアンプ（帰還増幅器）３１、抵抗３２、スイッチ３３、ｍ個の抵抗（帰還抵抗）３４ａ１，・・・，３４ａｍを備えている。
【００８８】
抵抗３２および３４ａ１，・・・，３４ａｍはオペアンプ３１のゲインを決定する抵抗である。
【００８９】
スイッチ３３は、帰還抵抗として使用される抵抗を、ｍ個の抵抗３４ａ１，・・・，３４ａｍの中から選択するスイッチである。
【００９０】
図５に示す出力アンプ２０のゲインは、抵抗３２と、スイッチ３３によって選択された帰還抵抗（ｍ個の抵抗３４ａ１，・・・，３４ａｍのうちのいずれか１つ）との比で決定される。このため、帰還抵抗として使用する抵抗をスイッチ３３によって切り替えることにより、出力アンプ２０のゲインを切り替えることができる。
【００９１】
なお、スイッチ３３の構成は特に限定されるものではないが、例えば、図７に示すような、ＭＯＳＦＥＴ（ＦＥＴ（Field Effect Transistor）；電界効果トランジスタ）で構成されたアナログスイッチを用いることができる。
【００９２】
図７に示すアナログスイッチ（スイッチ）３３は、制御信号入力端子４１、インバータ４２、ＮチャネルＭＯＳＦＥＴ４３、ＰチャネルＭＯＳＦＥＴ４４を備えている。
【００９３】
制御信号入力端子４１には、制御回路２２からの制御信号が入力される。インバータ４２は、制御信号入力端子４１に入力された制御信号（論理信号）を反転させてＰチャネルＭＯＳＦＥＴ４４のゲートに入力する。また、制御信号入力端子４１に入力された制御信号は、ＮチャネルＭＯＳＦＥＴ４３のゲートにも入力されるようになっている。
【００９４】
これにより、制御信号入力端子４１にハイレベルの制御信号が入力された場合に、ＮチャネルＭＯＳＦＥＴ４３およびＰチャネルＭＯＳＦＥＴ４４が導通し、このＮチャネルＭＯＳＦＥＴ４３およびＰチャネルＭＯＳＦＥＴ４４に接続された抵抗が帰還抵抗として選択される。一方、制御信号入力端子４１にローレベルの制御信号が入力された場合には、ＮチャネルＭＯＳＦＥＴ４３およびＰチャネルＭＯＳＦＥＴ４４が非導通となる。
【００９５】
すなわち、図７に示したスイッチ３３を抵抗３４ａ１，・・・，３４ａｍのそれぞれに接続しておき、制御回路２２によって、選択する抵抗に接続されたスイッチ３３を導通させることで、出力アンプ２０のゲインを切り替えることができる。
【００９６】
また、本実施形態では、出力アンプ２０のゲインを基準値（上記の例では従来の受信装置における出力アンプ１１０のゲイン）よりも小さくする場合の例について説明したが、これに限るものではない。出力アンプ２０のゲインは、受信装置１の用途に応じて適宜設定すればよく、従来の受信装置よりも大きくすることが可能なように構成してもよい。
【００９７】
また、本実施形態では、出力アンプ２０のゲインを小さくするとともに、高周波アンプ１２のゲインを大きくし、低周波アンプ１７のゲインは変化させず、出力アンプ２０のゲインを小さくする場合の例について説明したが、これに限るものではない。例えば、設定された出力信号レベルを実現するために必要な場合には、高周波アンプ１２のゲインだけでなく、低周波アンプ１７および／または出力アンプ２０のゲインも大きくしてもよい。
【００９８】
つまり、高周波信号入力端子１１に入力される高周波信号の信号レベルが小さい場合（所定値未満の場合）には受信装置１全体のゲインを高くして受信感度を良好にする必要があるので、例えば、高周波アンプ１２，低周波アンプ１７，出力アンプ２０の各ゲインを高く設定するようにしてもよい。また、入力信号レベルが小さくない場合（所定値以上の場合）には、出力アンプ２０および低周波アンプ１７のゲインを低く設定することによって出力Ｃ／Ｎを良好にし、受信性能を改善するようにしてもよい。
【００９９】
ただし、上述したように、一般に、受信装置への入力信号レベルがある程度以上大きい場合には、受信装置の出力ノイズ成分は受信装置の前半部分（例えば高周波アンプ１２およびミキサ回路１４）ではなく、後半部分（例えば低周波アンプ１７，フィルタ回路１９、出力アンプ２０）で決定される。
【０１００】
このため、受信装置への入力信号レベルがある程度以上大きい場合であって、高周波アンプ１２のゲインを大きくすることによって必要なトータルゲイン（受信装置１全体のゲイン）が得られる場合には、高周波アンプ１２のゲインを大きく設定し、低周波アンプ１７および出力アンプ２０のゲインをできるだけ小さく設定することが好ましい。そして、高周波アンプ１２のゲインを大きくするだけでは必要なトータルゲインが得られない場合に、低周波アンプ１７および／または出力アンプ２０のゲインを必要量だけ大きくすることが好ましい。
【０１０１】
また、出力アンプ２０のゲインが、外部から供給される高周波アンプ１２および／または低周波アンプ１７のゲインを制御するゲイン制御信号に基づいて制御される構成としてもよい。例えば、高周波アンプ１２のゲインを外部から供給されるゲイン制御信号に基づいて制御する高周波アンプ制御回路（ゲイン制御信号発生器）と、低周波アンプ１７のゲインを外部から供給されるゲイン制御信号に基づいて制御する低周波アンプ制御回路（ゲイン制御信号発生器）とを備え、上記外部から入力される高周波アンプ１２および低周波アンプ１７のゲイン制御信号に基づいて、出力アンプ２０のゲインを制御するようにしてもよい。
【０１０２】
図８は、この場合における本発明の受信装置の一例である受信装置３の構成を示す回路ブロック図である。
【０１０３】
受信装置３は、図８に示すように、半導体集積回路２４ｂ上に形成されている。なお、説明の便宜上、上記した受信装置１および２と同様の機能を有する部材については、受信装置１および２と同じ符号を用い、その説明を省略する。
【０１０４】
受信装置３は、受信装置１の構成に加えて、ゲイン制御信号発生回路５１を備えている。このゲイン制御信号発生回路５１には、ゲイン制御端子１３およびゲイン制御端子１８に入力された高周波アンプ１２のゲイン制御信号および低周波アンプ１７のゲイン制御信号とが入力されるようになっている。
【０１０５】
また、ゲイン制御信号発生回路５１は、低周波アンプ１７のゲイン制御信号に基づいて、出力アンプ２０のゲイン制御信号を生成し、出力アンプ２０のゲインを制御するようになっている。
【０１０６】
なお、入力信号レベルが小さい場合（所定値未満の場合）には、高周波アンプ１２および低周波アンプ１７のゲインを高く設定するようなゲイン制御信号がゲイン制御端子１３およびゲイン制御端子１８に入力され、入力信号レベルが小さくない場合（所定値以上の場合）には高周波アンプ１２のゲインを大きくするとともに低周波アンプ１７のゲインを低く設定（または変化させないように設定）するようなゲイン制御信号がゲイン制御端子１３およびゲイン制御端子１８に入力されるようになっている。
【０１０７】
これにより、ゲイン制御信号発生回路５１が、低周波アンプ１７のゲイン制御信号に基づいて、例えば、入力信号レベルが小さい場合（所定値未満の場合）には、出力アンプ２０のゲインを高く設定して受信装置１全体のゲインを高くし、入力信号レベルが小さくない場合（所定値以上の場合）には、出力アンプ２０のゲインを低く設定することによって出力Ｃ／Ｎを良好にして受信性能を改善することができる。
【０１０８】
なお、図８の構成では、高周波アンプ１２および低周波アンプ１７のゲイン制御信号が半導体集積回路２４ｂの外部から入力されるものとしているが、これに限らず、高周波アンプ１２および低周波アンプ１７のゲイン制御信号を生成するゲイン制御手段を半導体集積回路２４ｂ上に設けてもよい。
【０１０９】
また、高周波アンプ１２、低周波アンプ１７、出力アンプ２０のゲインを、外部から供給されるゲイン制御信号に基づいて制御する構成としてもよい。例えば、要求される出力信号レベルに応じた信号をゲイン制御信号として入力され、当該信号に基づいて最適な高周波アンプ１２、低周波アンプ１７、出力アンプ２０の各ゲインを設定するゲイン制御信号発生回路を設けてもよい。
【０１１０】
図９は、この場合における本発明の受信装置の一例である受信装置４の構成を示す回路ブロック図である。受信装置４は、図９に示すように、半導体集積回路２４ｃ上に形成されている。なお、説明の便宜上、上記した受信装置１〜３と同様の機能を有する部材については、受信装置１〜３と同じ符号を用い、その説明を省略する。
【０１１１】
受信装置４は、受信装置１の構成に加えて、ゲイン制御信号発生回路５２を備えている。このゲイン制御信号発生回路５２には、図示しない外部回路から、制御信号入力端子２３ｂを介して、受信装置４に要求される出力信号レベルに応じた信号が入力される。
【０１１２】
そして、ゲイン制御信号発生回路５２は、上記入力された信号に応じて、高周波アンプ１２、低周波アンプ１７、出力アンプ２０の各ゲインを、受信装置４に要求される出力信号レベル（設定された出力信号レベル）を実現すると共に出力Ｃ／Ｎを最適にするように設定する。具体的には、ゲイン制御信号発生回路５２は、上記入力された信号に応じて、設定された出力信号レベルを満たすことができ、かつ、出力アンプ２０および低周波アンプ１７のゲインができるだけ小さくなるように、高周波アンプ１２、低周波アンプ１７、出力アンプ２０の各ゲイン制御する。
【０１１３】
そして、上記のように設定した高周波アンプ１２、低周波アンプ１７、出力アンプ２０の各ゲインに基づいて、各アンプの制御信号を生成し、各アンプのゲインを制御する。
【０１１４】
これにより、設定された出力信号レベルを達成するとともに、出力Ｃ／Ｎ特性を向上させることができる。
【０１１５】
また、本実施形態では、低周波アンプ１７を備えた構成について説明したが、これに限るものではなく、低周波アンプ１７を備えない構成としてもよい。
【０１１６】
また、本実施形態では、本発明をデジタル衛星放送受信装置に適用する場合について説明したが、本発明を適用できる受信装置はこれに限るものではない。本発明は、出力アンプのゲインを変更することにより、受信装置の出力Ｃ／Ｎが変化する構成（ゲイン配分）の受信装置であれば適用できる。
【０１１７】
本発明によれば、出力Ｃ／Ｎおよび最大ゲインの要求に応じて、設定を切り替えて対応可能な受信装置を実現できる。特に、本発明を半導体集積回路に使用した場合、外部からの信号に基づいて出力Ｃ／Ｎおよび最大ゲインの要求に対応することができるため、１種類の半導体集積回路を汎用的に使用することができる。
【０１１８】
本発明は、上記した主要な特徴から逸脱することなく、他のいろいろな形で実施することができる。そのため、上述の実施形態はあらゆる点で単なる例示にすぎず、限定的に解釈されるべきではない。本発明の範囲は特許請求の範囲によって示すものであって、明細書本文には、なんら拘束されない。さらに、特許請求の範囲の均等範囲に属する変形や変更、プロセスは、全て本発明の範囲内のものである。
【産業上の利用可能性】
【０１１９】
本発明の受信装置は、出力アンプのゲインを切り替えることによって出力Ｃ／Ｎ特性を任意に切り替えることができるので、出力アンプのゲインを変更することにより受信装置の出力Ｃ／Ｎが変化する受信装置であれば適用できる。また、本発明の受信装置は、要求される出力Ｃ／Ｎが異なる複数の用途に対して、単一の受信装置を用いることができるので、例えばデジタル衛星放送用の受信装置に特に好適である。
【図面の簡単な説明】
【０１２０】
【図１】本発明の一実施形態にかかる受信装置の一構成例を示すブロック図である。
【図２】本発明の一実施形態にかかる受信装置および従来の受信装置における、各回路ブロックに対するゲイン配分を示すグラフである。
【図３】本発明の一実施形態にかかる受信装置における出力アンプの入力信号および出力信号を示すグラフである。
【図４】本発明の一実施形態にかかる受信装置の他の構成例を示すブロック図である。
【図５】本発明の一実施形態にかかる受信装置に備えられる出力アンプの一構成例を示すブロック図である。
【図６】本発明の一実施形態にかかる受信装置に備えられる出力アンプの他の構成例を示すブロック図である。
【図７】図６に示した出力アンプに備えられるスイッチの構成例を示すブロック図である。
【図８】本発明の一実施形態にかかる受信装置のさらに他の構成例を示すブロック図である。
【図９】本発明の一実施形態にかかる受信装置のさらに他の構成例を示すブロック図である。
【図１０】従来の受信装置の構成を示すブロック図である。
【図１１】従来の受信装置における各回路ブロックに対するゲイン配分を示すグラフである。
【図１２】従来の受信装置における出力アンプの入力信号および出力信号を示すグラフである。
【符号の説明】
【０１２１】
１，２，３，４  受信装置
１１  高周波信号入力端子
１２  高周波アンプ（第１増幅手段）
１３  ゲイン制御端子
１４  ミキサ回路
１５  発振回路
１６  度移相回路
１７  低周波アンプ（第２増幅手段）
１８  ゲイン制御端子
１９  フィルタ回路（不要成分除去手段）
２０  出力アンプ（出力増幅手段）
２０ａ１，・・・，２０ａｎ  アンプ（増幅手段）
２１  出力端子
２２  制御回路（制御手段）
２３，２３ｂ  制御信号入力端子
２４，２４ｂ，２４ｃ  半導体集積回路
３１  オペアンプ（帰還アンプ）
３２  抵抗
３３  スイッチ（切替手段）
３４ａ１，・・・，３４ａｍ  抵抗（帰還抵抗）
４１  制御信号入力端子
４２  インバータ
５１  ゲイン制御信号発生回路（第４制御手段）
５２  ゲイン制御信号発生回路（第２制御手段、第３制御手段）
【図１】
2006254109.tif 000003
【図２】
2006254109.tif 000004
【図３】
2006254109.tif 000005
【図４】
2006254109.tif 000006
【図５】
2006254109.tif 000007
【図６】
2006254109.tif 000008
【図７】
2006254109.tif 000009
【図８】
2006254109.tif 000010
【図９】
2006254109.tif 000011
【図１０】
2006254109.tif 000012
【図１１】
2006254109.tif 000013
【図１２】
2006254109.tif 000014